【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
表面に向かって光を放射する光源と、
該表面から反射された、該放射された光の一部を受信して、その強度に従う第１の出力を生成するように構成された第１の検出器と、
該表面から反射された、該放射された光の一部を受信して、その強度に従う第２の出力を生成するように構成された第２の検出器と、
該検出器からの該受信した出力を、散乱された反射光と鏡による反射光の量に基づいて、受信して評価する制御手段とを含む、道路表面のような表面の状態を非接触で検出するためのセンサ・デバイスにおいて、
該センサ・デバイスが、該第１および第２の検出器の出力から雪、氷又は水の存在を検出するためのデータ処理手段を含み、該センサ・デバイスが、さらに
該光源から該表面までの光路内に配置された、放射光の偏光のための第１の線形偏光フィルタと、
該光源と該第１と第２の検出器のうちの１つの間の光路内に配置された、第２の線形偏光フィルタと、を含むことを特徴とするセンサ・デバイス。
【請求項２】
請求項１に記載のセンサ・デバイスにおいて、
該光源が、該表面の垂線から１０°以内、好ましくは６°以内の方向に光を放射するよう配置されているセンサ・デバイス。
【請求項３】
請求項１又は２に記載のセンサ・デバイスにおいて、
該第２のフィルタの偏光の該方向が、該第１のフィルタの偏光の方向に並行になっているセンサ・デバイス。
【請求項４】
請求項３に記載のセンサ・デバイスにおいて、
該表面と、該第１の検出器および第２の検出器のうちの他のものとの間の光路内に配置された第３の偏光フィルタを含み、該第３のフィルタの偏光の方向が該第１および第２のフィルタの偏光の方向に対して垂直になっているセンサ・デバイス。
【請求項５】
請求項３又は４に記載のセンサ・デバイスにおいて、
該第１および第２のフィルタが１つの線形偏光フィルタで構成され、およびビーム・スプリッタが、該表面から該検出器に反射される光の一部分を転換するために、該第１の偏光フィルタと該光源の間に配置されているセンサ・デバイス。
【請求項６】
請求項１、２又は４に記載のセンサ・デバイスにおいて、さらに
該表面から反射された光の一部分を第２の光路に転換するために、該線形偏光フィルタから該表面に至る光路内に配置された第１のビーム・スプリッタと、
該第２の光路内の光の一部分を該第１の検出器に転換するため、および該第２の光路内の光の一部分を該第２の検出器に伝送するために、該第２の光路内に配置された第２のビーム・スプリッタと、を含むセンサ・デバイス。
【請求項７】
請求項１ないし６のいずれかに記載のセンサ・デバイスにおいて、
実質的に該第１の光源の方向および経路に光を放射するよう配置された基準光源を含み、この基準光源が、該デバイスの偏光フィルタが実質的に影響を及ぼさない波長の光を放射し、該第１および第２の検出器による該基準光源からの光の検出が、該システムの機能の確認のために用いられるようになっているセンサ・デバイス。
【請求項８】
請求項１ないし７のいずれかに記載のセンサ・デバイスにおいて、
水による高吸収性の赤外波長範囲内の光を該表面の方に対して放射する追加の光源と、該放出された光の反射を受信して、該制御手段に対する出力を生成する吸収検出器とを含むセンサ・デバイス。
【請求項９】
請求項８に記載のセンサ・デバイスにおいて、
該追加の光源が、９３０ｎｍから９７０ｎｍまでの波長範囲内の光を放射するものであるセンサ・デバイス。
【請求項１０】
請求項１ないし９のいずれかに記載のセンサ・デバイスにおいて、
該表面の方に光を放射する光源であって、光路が１５°から７０°の範囲の角度、望ましくは２５°から６０°の範囲の角度を有する光源と、該光路に放射された逆反射を受信しおよび該制御手段に対する出力を生成するよう配置された逆反射検出器とを含むセンサ・デバイス。
【請求項１１】
請求項１ないし１０のいずれかに記載のセンサ・デバイスにおいて、
該表面に向かって多色性の光を放射する光源と、該放射光の反射の各々の波長範囲を検出するために配置され、それによる出力を該制御手段に生成する、少なくとも２つの範囲検出器とをさらに含むセンサ・デバイス。
【請求項１２】
請求項１１に記載のセンサ・デバイスにおいて、
該放射光の反射の各々の波長範囲を検出するために配置され、それによる出力を該制御手段に生成する、少なくとも３つの該範囲検出器と含むセンサ・デバイス。
【請求項１３】
請求項１１又は１２に記載のセンサ・デバイスにおいて、
該波長範囲の各々が、可視の波長範囲内の範囲を含むセンサ・デバイス。
【請求項１４】
請求項１ないし１３のいずれかに記載のセンサ・デバイスにおいて、
道路に沿って走行する車両からのノイズを受信し、それによる出力を該制御手段に生成するノイズ・センサをさらに含む、車両に搭載するためのセンサ・デバイス。
【請求項１５】
表面に向かって光を放射する光源と、
該表面から反射された、該放射された光の一部を受信して、その強度に従う第１の出力を生成するように構成された第１の検出器と、
該表面から反射された、該放射された光の一部を受信して、その強度に従う第２の出力を生成するように構成された第２の検出器と、
該検出器からの該受信した出力を、散乱された反射光と鏡による反射光の量に基づいて、受信して評価する制御手段とを備え、該表面上の水、雪および氷の存在を非接触にて検出するためのセンサ・デバイスであって、
該センサ・デバイスが、さらに
該光源から該表面までの光路内に配置された、放射光の偏光のための第１の線形偏光フィルタと、
該光源と該第１と第２の検出器のうちの１つの間の光路内に配置された、第２の線形偏光フィルタと、を含むことを特徴とするセンサ・デバイス。
【請求項１６】
請求項１５に記載のセンサ・デバイスにおいて、
該センサ・デバイスが車両に搭載されているセンサ・デバイス。
【請求項１７】
請求項１５又は１６に記載のセンサ・デバイスにおいて、
該光源が、該表面の法線から２０°以内の方向に光を放射するよう配置されているセンサ・デバイス。
【請求項１８】
請求項１５ないし１７に記載のセンサ・デバイスにおいて、さらに
請求項２ないし１４のいずれかに記載の技術的特徴点を有するセンサ・デバイス。
【請求項１９】
表面に向かって光を放射する光源と、
該表面から反射された、該放射された光の一部を受信して、その強度に従う第１の出力を生成するように構成された第１の検出器と、
該表面から反射された、該放射された光の一部を受信して、その強度に従う第２の出力を生成するように構成された第２の検出器と、
該検出器からの該受信した出力を、散乱された反射光と鏡による反射光の量に基づいて、受信して評価する制御手段とを含む、道路表面の状態を非接触で検出するためのセンサ・デバイスであって、
該センサ・デバイスがさらに、
該表面に向かって９３０ｎｍから９７０ｎｍの波長範囲内の光を放射する赤外光源と、該放射された赤外光の該反射を受信してそれによる該制御手段への出力を生成する吸収検出器と、
該表面の垂線と１５°から７０の範囲、望ましくは２５°から６０°の範囲の角度をなす光路で、該表面に向かって光を放射する光源と、該光路内の該放射光の逆反射を受信して、それによる該制御手段への出力を生成するために配置された逆反射検出器と、
該表面に向かって多色性の光を放射する光源と、該放射光のある波長範囲の各々の反射を検出して、それによる該制御手段への出力を生成するように配置された、少なくとも２つの範囲検出器、望ましくは少なくとも３つの範囲検出器と、
道路に沿って走行する、該デバイスが配置された車両からのノイズを受信し、それによる該制御手段への出力を生成するノイズ・センサと、
を含むグループから選択された、該表面の状態を検出するための１つまたはそれ以上の構成をさらに含むことを特徴とするセンサ・デバイス。
【請求項２０】
表面に向かって光を放射する光源と、
該表面から反射された、該放射された光の一部を受信して、その強度に従う第１の出力を生成するように構成された第１の検出器と、
該表面から反射された、該放射された光の一部を受信して、その強度に従う第２の出力を生成するように構成された第２の検出器と、
該検出器からの該受信した出力を、散乱された反射光と鏡による反射光の量に基づいて、受信して評価する制御手段とを含む、道路表面の状態を非接触で検出するためのセンサ・デバイスであって、
該センサ・デバイスがさらに、
該光源から該表面までの光路内に配置された、放射光の偏光のための第１の線形偏光フィルタと、
該光源と該第１と第２の検出器のうちの１つの間の光路内に配置された、第２の線形偏光フィルタと、
水による高吸収性の赤外波長範囲内の光を該表面の方に対して放射するための追加の光源、および該放出された光の反射を受信し、該制御手段に対する出力を生成するための吸収検出器と、を備えるセンサ・デバイス。
【請求項２１】
請求項２０に記載のセンサ・デバイスにおいて、
該追加の光源が、９３０ｎｍから９７０ｎｍの波長範囲内にある光を放射するようになっているセンサ・デバイス。
【請求項２２】
請求項２０又は２１に記載のセンサ・デバイスにおいて、
該光源が、該表面の法線から２０°以内の方向に光を放射するよう配置されているセンサ・デバイス。
【請求項２３】
請求項２０ないし２２に記載のセンサ・デバイスにおいて、さらに
請求項２ないし７および１０ないし１４のいずれかに記載の技術的特徴点を有するセンサ・デバイス。
【請求項２４】
道路表面に向かって指向する、放射エミッタと、該道路表面から反射された放射を検出して、それによる出力を提供する、少なくとも１つの検出器と、道路の表面特性を決定して、それによる出力を提供するために、該少なくとも１つの検出器からの出力を処理する、データ処理手段とを有するセンサ・デバイスと、
該センサ・デバイスからの該出力を受信して、それに基づく道路表面特性データの車両外部の受信器への無線送信を実行する送信手段とを含む車両に搭載するための道路表面特性デバイスであって、
該デバイス自身と類似のデバイスの送信手段からの、データのラジオ送信を受信するように構成された無線受信手段と、該受信手段からの入力を受信して、それに基づいて該車両の該ドライバにより認識されうる、出力の表示を行うデータ出力手段とを、該デバイスがさらに含むことを特徴とする、車両に搭載するための道路表面特性デバイス。
【請求項２５】
請求項２４に記載のデバイスにおいて、
該デバイスの現在位置を推測するための位置データを生成する位置手段を含み、該送信手段が該位置データを送信するように構成されたデバイス。
【請求項２６】
請求項２４又は２５に記載のデバイスにおいて、
該データ出力手段がさらに、該検出手段から入力を受信し、それに基づいて該車両の該ドライバにより認識されうる出力を表示するように構成されたデバイス。
【請求項２７】
請求項２４ないし２６のいずれかに記載の道路表面特性デバイスにおいて、
該センサ・デバイスが、請求項１ないし１４のいずれかに記載のデバイスの特性を有する道路表面特性デバイス。
【請求項２８】
各々が別々の車両に搭載される、請求項２４ないし２６のいずれかに記載の複数のデバイスと、
該道路表面の表面特性を非接触で検出して、それによる出力を、該出力を受信して該デバイスの受信器にそれに基づく道路表面特性の無線送信を実行する送信手段に提供する、複数の静止検出手段とを含むシステム。
【請求項２９】
請求項２８に記載のシステムにおいて、
該車両に搭載されたデバイスおよび該静止検出手段からの無線送信データを受信するように構成された、受信手段を有する複数の静止情報構成を含み、かつ該受信した道路表面特性データに基づいて、車両のドライバに該道路についての情報を分配するために、道路に沿って配置された視覚通信デバイスを含むシステム。
【請求項３０】
道路表面に指向された放射発信器と、該道路表面から反射された放射を検出して、それによる出力を提供する少なくとも１つの検出器とを含む、該道路表面の表面特性を非接触で検出してそれによる出力を提供する、車両に搭載する道路表面特性デバイスにおいて、
該発信器および該少なくとも１つの検出器を繰り返して洗い流す洗浄手段を、該デバイスが含むことを特徴とする、道路表面特性デバイス。
【請求項３１】
請求項３０に記載のデバイスにおいて、
該洗浄手段が車両の窓ガラス洗浄システムと接続され、それと同時に動作するデバイス。
【請求項３２】
道路表面に指向された放射発信器と、該道路表面から反射された放射を検出して、それによる出力を提供する少なくとも１つの検出器とを含む、該道路表面の表面特性を非接触で検出してそれによる出力を提供する、車両に搭載する道路表面特性デバイスにおいて、
該デバイスの少なくとも１つの検出器が、１／１０秒から１／５００００秒まで、望ましくは１／５０秒から１／１００００秒までの期間、該検出器への一時的な該放射のアクセスを許可する、シャッター・デバイスを含むことを特徴とする道路表面特性デバイス。